(57)【要約】    【課題】  特別な金型を用いることなく、簡易な工程で挿入筒部の先端部を眼内へ挿入しやすくするための形状とすることのできる、眼内レンズ挿入器具の先端加工方法を提供する。    【解決手段】  眼内レンズが挿入される挿入口部３と眼内レンズが排出される排出口部４とを備えた眼内レンズ挿入器具の先端加工方法であって、レーザーを用いて前記排出口部４の先端部４Ａを加工することで、簡易な工程で先端部４Ａを斜めにカットした形状とし、スリットを形成するなど、先端部４Ａを眼内へ挿入しやすい形状とすることができる。【選択図】  図１
2006014962.tif 000002
【特許請求の範囲】
【請求項１】
眼内レンズが挿入される挿入口部と眼内レンズが排出される排出口部とを備えた眼内レンズ挿入器具の先端加工方法であって、レーザーを用いて前記排出口部の先端部を加工することを特徴とする眼内レンズ挿入器具の先端加工方法。
【請求項２】
前記レーザーは炭酸ガスレーザーであることを特徴とする請求項１記載の眼内レンズ挿入器具の先端加工方法。
【請求項３】
眼内レンズが挿入される挿入口部と眼内レンズが排出される排出口部とを備えた眼内レンズ挿入器具の先端加工方法であって、熱した線材を用いて前記排出口部の先端部を加工することを特徴とする眼内レンズ挿入器具の先端加工方法。
【請求項４】
眼内レンズが挿入される挿入口部と眼内レンズが排出される排出口部とを備えた眼内レンズ挿入器具の先端加工方法であって、熱した平板を用いて前記排出口部の先端部を加工することを特徴とする眼内レンズ挿入器具の先端加工方法。
【発明の詳細な説明】
【技術分野】
【０００１】
本発明は、眼内レンズを眼球に挿入する際に使用される眼内レンズ挿入器具の先端加工方法に関するものである。
【背景技術】
【０００２】
白内障の手術においては、超音波乳化吸収（ＰＥＡ）により混濁した水晶体を除去した後、除去した水晶体の代わりに眼内レンズを眼内へ埋植する方法が広く行なわれている。この眼内レンズは、レンズの役目をする光学部と、眼内レンズを眼内で眼軸上に位置させ保持する支持部とからなる。そして、眼内レンズは、光学部がポリメチルメタクリレートなどの硬い材料からなる硬質眼内レンズと、光学部が軟性アクリルやシリコーンなど軟らかい材料からなる軟質眼内レンズに大別される。
【０００３】
硬質眼内レンズを眼内へ挿入する際には、約６ｍｍの光学部の直径と同じ程度かそれ以上の幅の切開創を角膜または強膜に形成し、その創を通じて眼内レンズを挿入する。これに対し、軟質眼内レンズを挿入する際には、軟質眼内レンズは軟らかく折畳むことができるので、光学部の直径よりも小さい４ｍｍまたはそれ以下の小さい幅の切開創から挿入することができる。また、専用の挿入器具を使用した場合には、さらに小さい幅の切開創から挿入することが可能となる。
【０００４】
切開創の幅を小さくすることによって、手術による患者の負担が減るとともに、手術に起因する角膜乱視が起こりにくくなり、また、切開創を通じた感染症の可能性が低減される。このような理由により、軟質眼内レンズが好まれる傾向にある。
【０００５】
眼内レンズの専用の挿入器具は、インジェクターと呼ばれ、インジェクター本体と挿入筒部から一般に構成されている。この挿入筒部は、衛生上の観点から使い捨てで使用されることが多いが、インジェクター本体と挿入筒部が一体で構成され、インジェクターを使い捨てとするものも販売されている。
【０００６】
そして、インジェクターの使用に際しては、挿入筒部内に設置したレンズをインジェクターの押し出し棒で送り出し、先端部を眼内に挿入した挿入筒部を通して眼内レンズを眼内へ移動させる。なお、小さい創口から挿入筒部の先端部を挿入しやすくするために、挿入筒部の先端部は、一般に適切な角度で斜めにカットされている。また、挿入筒部の先端部の挿入を容易にするために、挿入筒部の先端部に眼内レンズが移動する方向と平行にスリットを形成し、挿入筒部の先端部が挿入に合わせて適切に変形するように構成したものも知られている。
【０００７】
ところで、挿入筒部の先端部を斜めにカットした形状とし、または挿入筒部の先端部にスリットを形成するためには、金型を用いた射出成形や押し出し成形などの金型成形加工によって、挿入筒部の成形と同時に加工するのが最も容易である。しかし、成形用の金型の構成上、挿入筒部の成形時に挿入筒部の先端部を斜めにカットした形状とすることやスリットを形成することが困難である場合がある。また、部分的に好ましくないバリが生成する場合がある。このような場合には、金型成形加工の後で、別途挿入筒部の先端部に加工を加える必要があった。
【０００８】
金型成形加工の後の挿入筒部の先端部の加工方法としては、例えば特許文献１に挿入筒部の先端部の形状に対応した形状の金型を用いる方法が開示されている。
【特許文献１】ＷＯ０３／０４３５４７号公報
【発明の開示】
【発明が解決しようとする課題】
【０００９】
上記特許文献１の方法は、加熱した金型に挿入筒部の先端部を挿入することで、先端部を望ましい形状に形成するとともにバリをなくすようにしたものである。しかし、挿入筒部の先端部の形状に合わせて、複雑な形状の金型を用意しなければならず、金型を作製するための費用を無視することができないといった問題があった。
【００１０】
そこで、本発明は、特別な金型を用いることなく、簡易な工程で挿入筒部の先端部を斜めにカットした形状とし、スリットを形成するなど、挿入筒部の先端部を眼内へ挿入しやすくするための形状とすることのできる、眼内レンズ挿入器具の先端加工方法を提供することを目的とする。
【課題を解決するための手段】
【００１１】
請求項１の眼内レンズ挿入器具の先端加工方法は、眼内レンズが挿入される挿入口部と眼内レンズが排出される排出口部とを備えた眼内レンズ挿入器具の先端加工方法であって、レーザーを用いて前記排出口部の先端部を加工することを特徴とする。
【００１２】
請求項２の眼内レンズ挿入器具の先端加工方法は、請求項１において、前記レーザーは炭酸ガスレーザーであることを特徴とする。
【００１３】
請求項３の眼内レンズ挿入器具の先端加工方法は、眼内レンズが挿入される挿入口部と眼内レンズが排出される排出口部とを備えた眼内レンズ挿入器具の先端加工方法であって、熱した線材を用いて前記排出口部の先端部を加工することを特徴とする。
【００１４】
請求項４の眼内レンズ挿入器具の先端加工方法は、眼内レンズが挿入される挿入口部と眼内レンズが排出される排出口部とを備えた眼内レンズ挿入器具の先端加工方法であって、熱した平板を用いて前記排出口部の先端部を加工することを特徴とする。
【発明の効果】
【００１５】
請求項１の眼内レンズ挿入器具の先端加工方法は、レーザーを用いて排出口部の先端部を加工することで、簡易な工程で眼内レンズ挿入器具の先端部を斜めにカットした形状とし、スリットを形成するなど、眼内レンズ挿入器具の先端部を眼内へ挿入しやすい形状とすることができる。
【００１６】
請求項２の眼内レンズ挿入器具の先端加工方法は、炭酸ガスレーザーを用いることで、樹脂製の眼内レンズ挿入器具の加工を好適に行なうことができる。
【００１７】
請求項３の眼内レンズ挿入器具の先端加工方法は、熱した線材を用いて排出口部の先端部を加工することで、簡易な工程で眼内レンズ挿入器具の先端部を斜めにカットした形状とし、スリットを形成するなど、眼内レンズ挿入器具の先端部を眼内へ挿入しやすい形状とすることができる。
【００１８】
請求項４の眼内レンズ挿入器具の先端加工方法は、熱した平板を用いて排出口部の先端部を加工することで、簡易な工程で眼内レンズ挿入器具の先端部をバリや鋭利な角が取れた形状とし、眼内レンズ挿入器具の先端部を眼内へ挿入しやすい形状とすることができる。
【発明を実施するための最良の形態】
【００１９】
本発明は、樹脂製の眼内レンズ挿入器具の先端部を任意の形状に加工する方法に関するものである。そして、射出成形や押し出し成形などにより成形された樹脂製の眼内レンズ挿入器具に対し、その先端部を二次的に加工するものである。その二次的な加工において、レーザー、熱した線材、熱した平板を用いる。
【００２０】
ここで、眼内レンズ挿入器具の構成について説明する。図１に眼内レンズ挿入器具の一例を示す。図１において、１は挿入筒部であり、この挿入筒部１は、導入管２、挿入口部３、排出口部４、挿入溝５、翼６、７を備えている。
【００２１】
挿入口部３は、折り畳まれた眼内レンズを装填するためのものであり、そこには挿入溝５が設けられている。この挿入溝５は、眼内レンズを鑷子により保持して装填するための溝であり、この挿入溝５に鑷子を入れることにより容易に折り畳まれた眼内レンズを挿入口部３に装填できる。また、導入管２の内部は、挿入口部３に折り畳まれてセットされた眼内レンズが通るため、管状になっている。そして、８は挿入口部３の断面形状を、９は導入管２の中間部の断面形状を、10は、排出口部４の断面形状を示したものである。
【００２２】
この挿入筒部１を用いることができる軟質眼内レンズは、材料として軟質のものであれば特に制限はなく、例えば、シリコーン樹脂、アクリル樹脂、ハイドロゲルなどを用いることができる。
【００２３】
また、導入管２の先端には排出口部４が形成されており、この排出口部４が眼球の切開創に挿入される。そこで、この挿入筒部１は、人体に悪影響を与えない材質でできている必要があり、例えばポリプロピレンなどのポリアルケンでできている。
【００２４】
翼６、７は、挿入筒部１を図２に示すようなインジェクター本体27の先端に設けられた挿入筒部装着部28に装着するためのものであり、この翼６、７を装着部28が保持することにより挿入筒部１とインジェクター本体27が一体となる。このように、挿入筒部１とインジェクター本体27とによって眼内レンズ挿入器具が構成されている。
【００２５】
また、インジェクター本体27には、押出し棒29が設けられている。この押出し棒29の先端は細くなっており（図示せず）、この先端が挿入筒部１の導入管２内に挿入できるようになっている。そして、この押出し棒29により排出口部４より眼内レンズが眼球内に挿入されるものである。
【００２６】
つぎに、眼内レンズ挿入器具の先端加工方法の実施例について説明する。
【実施例１】
【００２７】
挿入筒部１を射出成形により成形する。この射出成形で使用する樹脂は、射出成形に適したポリプロピレンやポリスチレンが好ましい。射出成形された挿入筒部１の排出口部４の先端部４Ａには、この時点では角度を付けたカット形状やスリット形状が付与されている必要はない。
【００２８】
つぎに、成形された挿入筒部１を所定の治具（図示せず）に固定し、先端部４Ａをレーザーで切断して所定の形状に加工する。ここで使用するレーザーとしては、樹脂加工に適した炭酸ガスレーザーが好ましく、その条件としてはパルス幅０．１〜０．２ｍｓ、繰り返し１００パルス／秒（ｐｐｓ）、ピーク出力１．５ｋＷ程度とするのが好ましいが、これに限定されるものではない。レーザーによる加工により、樹脂の粉が生じることがあるが、これは空気を吹き付けることにより簡単に除去することが可能である。
【００２９】
以上のように、本実施例の眼内レンズ挿入器具の先端加工方法は、眼内レンズが挿入される挿入口部３と眼内レンズが排出される排出口部４とを備えた眼内レンズ挿入器具の先端加工方法であって、レーザーを用いて前記排出口部４の先端部４Ａを加工することで、簡易な工程で先端部４Ａを斜めにカットした形状とし、スリットを形成するなど、先端部４Ａを眼内へ挿入しやすい形状とすることができる。
【００３０】
また、炭酸ガスレーザーを用いることで、樹脂製の眼内レンズ挿入器具の加工を好適に行なうことができる。
【実施例２】
【００３１】
本実施例は、レーザーを用いて加工する代わりに、熱した線材を用いるものである。
【００３２】
成形された挿入筒部１を所定の治具（図示せず）に固定し、先端部４Ａに挿入筒部１を構成する樹脂の融点を超える温度に熱した線材としての銅線を当てて、先端部４Ａを所定の形状に加工する。好ましい線材の温度は、前記樹脂がポリプロピレン、ポリエチレンであれば、１２０〜１５０℃である。
【００３３】
以上のように、本実施例の眼内レンズ挿入器具の先端加工方法は、眼内レンズが挿入される挿入口部３と眼内レンズが排出される排出口部４とを備えた眼内レンズ挿入器具の先端加工方法であって、熱した線材を用いて前記排出口部４の先端部４Ａを加工することで、簡易な工程で先端部４Ａを斜めにカットした形状とし、スリットを形成するなど、先端部４Ａを眼内へ挿入しやすい形状とすることができる。
【実施例３】
【００３４】
本実施例は、レーザーや熱した線材を用いて加工する代わりに、熱した平板を用いるものである。
【００３５】
本実施例においては、挿入筒部１の排出口部４の先端部４Ａが、角度を付けたカット形状やスリット形状となるように、予め射出成形しておくことが望ましい。
【００３６】
成形された挿入筒部１の先端部４Ａを、挿入筒部１を構成する樹脂の融点を超える温度に熱した平板に１ｍｍほどの距離まで近づける。１〜数秒で先端部４Ａがわずかに溶融し、射出成形時に先端部４Ａに生じた余分なバリや先端部４Ａの鋭利な角が取れた形状に変形する。好ましい平板の温度は、前記樹脂がポリプロピレン、ポリエチレンであれば、１２０〜１５０℃である。
【００３７】
また、熱した平板として、先端部４Ａを覆う形に穴が形成されたものを用いてもよい。熱した平板の穴に先端部４Ａを挿入することで、１〜数秒で先端部４Ａがわずかに溶融し、射出成形時に先端部４Ａに生じた余分なバリや先端部４Ａの鋭利な角が取れた形状に変形する。
【００３８】
以上のように、本実施例の眼内レンズ挿入器具の先端加工方法は、眼内レンズが挿入される挿入口部３と眼内レンズが排出される排出口部４とを備えた眼内レンズ挿入器具の先端加工方法であって、熱した平板を用いて前記排出口部４の先端部４Ａを加工することで、簡易な工程で先端部４Ａをバリや鋭利な角が取れた形状とし、先端部４Ａを眼内へ挿入しやすい形状とすることができる。
【００３９】
以上、本発明の実施例について説明したが、本発明は、前記実施例に限定されるものではなく、種々の変形実施が可能である。例えば、上記各実施例は挿入筒部１とインジェクター本体27とが別体で構成された眼内レンズ挿入器具を例にとって説明したが、これに限らず、挿入筒部とインジェクター本体とが一体に形成された構造であってもよい。
【図面の簡単な説明】
【００４０】
【図１】本発明の実施例における挿入筒部を示す斜視図である。
【図２】同上挿入筒部をインジェクター本体に装着する様子を示す斜視図である。
【符号の説明】
【００４１】
３  挿入口部
４  排出口部
４Ａ  先端部
【図１】
2006014962.tif 000003
【図２】
2006014962.tif 000004